(57)【要約】【課題】  テープ編集などによるつなぎ記録をした場合に、つなぎ記録部分をサーチ再生しても欠落のないサーチ画像を得ることができる記録再生装置を提供する。【解決手段】  記録ヘッド１３は、磁気テープ１２上にストリームデータとサーチデータを別々の記録エリアに記録し、かつ、ストリームデータに対応するサーチデータの書き込み開始位置が当該ストリームデータよりも所定量遅れた位置になるよう記録する。記録再生装置は、第１のストリームデータが記録された磁気テープ１２に対して第２のストリームデータをつなぎ記録する場合に、第１のストリームデータに対応する磁気テープ１２に未記録の第１のサーチデータを取得し、取得した第１のサーチデータを第２のストリームデータの所定エリアに記録するよう磁気ヘッド１３を制御する。【選択図】  図１
2006190418.tif 000002
【特許請求の範囲】
【請求項１】
磁気テープ上に通常再生用データとサーチ再生用データを別々の記録エリアに記録し、かつ、前記通常再生用データに対応するサーチ再生用データの書き込み開始位置が当該通常再生用データよりも遅れた位置になるよう記録する記録手段を有する記録再生装置であって、
第１の通常再生用データが記録された磁気テープに対して第２の通常再生用データをつなぎ記録する場合に、前記つなぎ記録開始位置の直前に記録された前記第１の通常再生用データ中の第１のサーチ再生用データを取得するサーチデータ取得手段と、
前記サーチデータ取得手段が取得した前記第１のサーチ再生用データを前記第２の通常再生用データに挿入し、前記つなぎ記録開始位置より記録するよう前記記録手段を制御する制御手段と
を具備することを特徴とする記録再生装置。
【請求項２】
前記制御手段は、前記第１のサーチ再生用データと前記第２のサーチ再生用データが連続再生されるように前記磁気テープに記録するよう前記記録手段を制御することを特徴とする請求項１に記載の記録再生装置。
【請求項３】
前記サーチデータ取得手段は、前記磁気テープに記録された前記第１の通常再生用データにおける最後のフレーム内符号化されたフレームデータから求めたサーチ再生用データを第１のサーチ再生用データとして取得することを特徴とする請求項１に記載の記録再生装置。
【請求項４】
前記サーチデータ取得手段は、前記磁気テープに記録された前記第１の通常再生用データにおける最後のフレーム内符号化されたフレームデータのデータの先頭から、前記第１の通常再生用データの終了まで再生することで、前記フレーム内符号化されたフレームデータのデータを取り込みデコード処理し、サーチ再生用データに変換することで前記第１のサーチ再生用データを取得することを特徴とする請求項１に記載の記録再生装置。
【請求項５】
前記サーチデータ取得手段は、前記磁気テープに前記第１の通常再生用データの記録処理時に前記磁気テープに記録済みの前記第１の通常再生用データに対応する第３のサーチ再生用データの記録状態を示すパラメータを取得する機能と、取得した前記パラメータより、前記第３のサーチ再生用データの続きとなる位置を演算し、当該位置から第１のサーチ再生用データを取得する機能とを更に備えることを特徴とする請求項１〜４のいずれか１項に記載の記録再生装置。
【発明の詳細な説明】
【技術分野】
【０００１】
本発明は、記録再生装置に関し、特にＭＰＥＧのストリームデータとそのストリームデータに対応するサーチデータをテープに記録する記録再生装置に関するものである。
【背景技術】
【０００２】
従来、磁気テープ上にデジタル画像、音声データを記録再生するデジタルＶＴＲが知られている。そして、近年では、磁気テープ上にＭＰＥＧ方式で符号化した画像、音声データを記録再生する装置も登場している。この種の装置のうち、特に民生用のＶＴＲの規格として、ＨＤＶ規格が提案された。ＨＤＶ規格では、テープ上には、回転ヘッドのトレースで記録される１６本のトラック単位でＥＣＣ（Ｅｒｒｏｒ−Ｃｏｒｒｅｃｔｉｎｇ−ｃｏｄｅ）符号化がされている。この１６本トラックのＥＣＣ符号化単位をＥＣＣ  Ｕｎｉｔと定義されている。
【０００３】
また、テープ上に通常再生速度で動画再生するためのＭＰＥＧストリームと、通常速度より高速で再生するサーチ時の動画再生ためにサーチデータをテープ上の既定のエリアに記録するものがある。そして、テープ上のサーチエリアには、ＭＰＥＧストリームのＩピクチャ（フレーム内符号化されたフレームデータ）の８×８画素のＤＣＴブロックの輝度信号のＤＣ成分を抽出し６ビットに変換したマクロブロックと、８×８画素のＤＣＴブロックの色差信号からＤＣ成分を抽出して、Ｃｂ、Ｃｒそれぞれ５ビットのデータに変換したマクロブロックの集まりであるサーチデータが、複数のＥＣＣ  Ｕｎｉｔにまたがって記録されている。
【０００４】
図２は、テープ上の記録フォーマットの一例を示す図である。図２に示すように、トラック１６本でＥＣＣ  Ｕｎｉｔが構成され、その中の斜線で示す部分がサーチデータエリアである。Ｉピクチャから抽出された輝度および色差信号のＤＣ成分から変換されたマクロブロックが図２のサーチＵｎｉｔＮＯ．０〜８のＥＣＣ  Ｕｎｉｔのサーチデータエリアに分割して記録されている。
【０００５】
また、図３は、テープ上においてＭＰＥＧストリームデータとサーチデータの記録位置関係を示す図である。ＭＰＥＧストリームデータとサーチデータの記録位置関係は、１ＧＯＰのＭＰＥＧストリーム（ＧＯＰ＿Ａ）のＩピクチャがテープから再生されてデコードされるまでの時間（ＶＢＶ  Ｄｅｌａｙ）に相当するトラック数分、サーチデータが後から記録されるようになっている。図３において、１ＧＯＰ分のストリーム（ＧＯＰ＿Ａ）のサーチデータは、ＶＢＶ  Ｄｅｌａｙに相当するトラック数分遅延した後、サーチデータの書込み開始位置からサーチデータが記録されている。
【０００６】
上述したサーチ用画像データの配置例について開示している文献もある（例えば、特許文献１参照）。
【０００７】
【特許文献１】特開２００２−２０９１７９号公報（第１１頁、図５）
【発明の開示】
【発明が解決しようとする課題】
【０００８】
しかしながら、上記従来技術の構成では、テープ編集などによるつなぎ記録をした場合の記録単位は、回転ヘッドのトレースで記録されるトラック１６本で構成されるＥＣＣ  Ｕｎｉｔ単位であり、つなぎ記録などを行うと１枚のサーチ画像の途中から新たなストリームが記録され、サーチ画像のデータが欠落するという問題がある。
【０００９】
図４は、従来のつなぎ記録したテープの状態を示した図である。図４に示すように、１ＧＯＰ分のストリーム（ＧＯＰ＿Ｃ）がテープ下地として記録されており、その下地のストリームに対して、ＧＯＰ単位のストリーム（ＧＯＰ＿Ａ）、（ＧＯＰ＿Ｂ）を、新たにつなぎ記録した場合を示している。ＧＯＰ＿Ｃのサーチデータは、ＧＯＰ＿Ｃの先頭から、Ｉピクチャのデータがテープから再生されてデコードされるまでの時間（ＶＢＶ  Ｄｅｌａｙ）に相当するトラック数分遅延した位置から書き始められている。そして、ＧＯＰ＿Ｃのサーチデータは、編集開始点以降（ＧＯＰ＿Ａの開始以降）は、新たなストリーム（ＧＯＰ＿Ａ）、（ＧＯＰ＿Ｂ）が記録されているためにサーチデータが欠落している。そして、新たに記録されたＭＰＥＧストリームデータ（ＧＯＰ＿Ａ）、（ＧＯＰ＿Ｂ）は、編集開始点以降から記録され始め、ＧＯＰ＿ＡのＩピクチャのＶＢＶ  Ｄｅｌａｙ遅延後（区間Ａ）にサーチデータが記録され始めている。
【００１０】
したがって、上記説明したようにＭＰＥＧストリームとそれに対応するサーチデータをそれぞれテープ上に記録するようなシステムでかつ、サーチデータがストリームより遅れて記録されるような位置関係であるシステムでは、テープ上で編集作業を行うと、遅れて記録されるサーチデータが編集点で欠落するという問題がある。
【００１１】
本発明は、上述した事情を考慮してなされたもので、テープ編集などによるつなぎ記録をした場合に、つなぎ記録部分をサーチ再生しても欠落のないサーチ画像を得ることができる記録再生装置を提供することを目的とする。
【課題を解決するための手段】
【００１２】
この発明は、上述した課題を解決すべくなされたもので、本発明による記録再生装置においては、磁気テープ上に通常再生用データとサーチ再生用データを別々の記録エリアに記録し、かつ、通常再生用データに対応するサーチ再生用データの書き込み開始位置が当該通常再生用データよりも遅れた位置になるよう記録する記録手段を有する記録再生装置であって、第１の通常再生用データが記録された磁気テープに対して第２の通常再生用データをつなぎ記録する場合に、つなぎ記録開始位置の直前に記録された第１の通常再生用データ中の第１のサーチ再生用データを取得するサーチデータ取得手段と、サーチデータ取得手段が取得した第１のサーチ再生用データを第２の通常再生用データに挿入し、つなぎ記録開始位置より記録するよう記録手段を制御する制御手段とを具備することを特徴とする。
【発明の効果】
【００１３】
本発明によれば、テープ編集などによるつなぎ記録をした場合に、つなぎ記録部分をサーチ再生しても欠落のないサーチ画像を得ることができる。
【発明を実施するための最良の形態】
【００１４】
以下に、図面を参照して、本発明の好適な実施の形態について説明する。
本発明の一実施形態における記録再生装置として、ビデオ信号をＭＰＥＧ形式のデジタル画像データ（以下、ＭＰＧＥストリームとする）に変換して、磁気テープ状に記録処理行う記録再生装置を例に説明を行う。また、本実施形態の記録再生装置は、ＭＰＥＧストリーム（通常再生用データ）とそれに対応するサーチデータ（サーチ再生用データ）をそれぞれ磁気テープ上に記録し、かつ、サーチデータがＭＰＥＧストリームより遅れて記録される。すなわち、上記図２に示すような、トラック１６本でＥＣＣ  Ｕｎｉｔが構成され、磁気テープ上に記録され、かつ、上記図３に示すような、磁気テープ上においてＭＰＥＧストリームデータとサーチデータの記録位置関係にあるとする。
【００１５】
図１は、本発明の一実施形態における記録再生装置の概略構成を示す図である。図１において、１は、ビデオ入出力部であり、入力されたビデオ信号をダジタルデータに変換し、後述するフレームメモリ２へ書き込む処理と、フレームメモリ２からデジタルデータを読み出し、ビデオ信号に変換して外部へ出力する処理とを行う機能を有する。２は、フレームメモリであり、ビデオ入出力部１がビデオ信号をデジタルデータ化した画像データを記憶する。
【００１６】
３は、サーチ画像処理部であり、サーチデータから画像データに変換する処理と画像データからサーチデータに変換する処理を行う。４は、サーチ画像メモリであり、エンコードされたサーチデータを蓄積する。５は、ＭＧＥＰ処理部であり、記録処理時は、フレームメモリ２に格納されている画像データをＭＰＥＧエンコードして、後述するＶＢＶバッファ６にＭＰＥＧストリームデータを出力し、再生処理時は、ＭＰＥＧストリームデータをデコードして画像データをフレームメモリ２へ出力する。
【００１７】
６は、ＶＢＶバッファであり、ＭＰＥＧ処理部５又は後述するストリームデータ処理部８が出力するＭＰＥＧストリームを蓄積するバッファメモリである。７は、サーチデータ処理部であり、記録処理時は、サーチ画像メモリ４からデータを読み出し、後述するトラックメモリ９のサーチエリアにデータを転送し、再生処理時はトラックメモリ９のサーチエリアからデータを読み出し、サーチ画像メモリ４にデータを転送する。
【００１８】
ストリームデータ処理部８は、記録処理時は、ＶＢＶバッファ６に記憶されているＭＰＥＧストリームデータを読み出し、トラックメモリ９の所定の位置に書込み、再生処理時は、トラックメモリ９よりＭＰＥＧストリームデータを読み出し、ＶＢＶバッファ６にストリームデータを転送する。
【００１９】
トラックメモリ９は、後述する磁気テープ１２上に記録されるトラックのデータを記憶するメモリである。１０は、ＥＣＣ処理部であり、記録処理時は、ＭＰＥＧストリームデータにトラック１６本単位でエラー訂正のための符号を付加し、再生処理時は１６本のトラック単位に付加されたエラー訂正符号から、エラー検出およびエラー訂正を行う。１１は、変調処理部であり、記録処理時は磁気テープ１２上のトラックに記録しようとするデジタルデータを、磁気テープ１２に記録できる信号に変調し、再生処理時は磁気テープ１２から出力された電気信号をデジタルデータに復調する。磁気テープ１２は、動画ストリームデータ（ＭＰＥＧストリームデータ）とサーチデータを記憶する磁気記録テープである。磁気ヘッド１３は、記録処理時は変調処理部１１が出力する電気信号を基に磁気テープ１２に対して記録処理を行い、再生処理時は、磁気テープ１２に記録された磁気データを読み取り、電気信号を変調処理部１１へ出力する。
【００２０】
次に、図１に示した記録再生装置の動作について説明する。
図５は、図１に示した記録再生装置において、テープ編集などによるつなぎ記録をした場合の動作の概略を示す図である。まず、編集点でのつなぎ動作が指示されると、記録再生装置は、ステップ６１おいて、編集点の直前にまでのサーチデータに関する情報がサーチ画像メモリ４上にあるか否かを判別し、ある場合はステップ６４に移行し、ない場合はステップ６２に移行する。
【００２１】
ステップ６１で編集点直前のサーチデータに関する情報がないと判別した場合は、ステップ６２において、記録再生装置は、磁気テープ１２を巻き戻し、編集点にもっとも近いＩピクチャの先頭まで磁気テープ１２を移動させる。そして、Ｉピクチャの先頭から編集点までを再生し、ステップ６３において、記録再生装置は、Ｉピクチャのデータをデコードした後、サーチデータに変換し、サーチ画像メモリ４に記憶する。
【００２２】
ここで、上記ステップ６３の処理の詳細について図１を用いて説明する。磁気テープ１２に記録されている動画ストリームデータは、磁気ヘッド１３により読み込まれ電気信号として出力され、変調処理部１１を通して、デジタルデータに変換される。変換されたデータは、ＥＣＣ処理部１０で、ＥＣＣ  Ｕｎｉｔ（トラック１６本）単位の、エラー訂正が行われ、エラー訂正後にＥＣＣ  Ｕｎｉｔ単位でトラックメモリ９に書き込まれる。トラックメモリ９に書き込まれた再生データは、ストリームデータ処理部８によりＭＰＥＧストリームだけを抜きだし、ＶＢＶバッファ６に転送される。ＶＢＶバッファ６に書き込まれたＭＰＥＧストリームデータは、ＶＢＶ  Ｄｅｌａｙに相当する時間後にＭＰＥＧ処理部５により読み出されデコード後にフレームメモリ２に書き込まれる。
【００２３】
フレームメモリ２に書き込まれたＩピクチャの画像は、サーチ画像処理部３により、フレームメモリ２より読み出され、サーチデータに変換後にサーチ画像メモリ４に記憶される。また、記録されているサーチＵｎｉｔＮＯに関する情報は、トラックメモリ９の中のＥＣＣ  Ｕｎｉｔ単位の既定の位置に書き込まれているサーチデータを取り出し、サーチＵｎｉｔＮＯを編集点まで取得していく。
【００２４】
以上、ステップ６３の処理後に図５のステップ６４に移行する。ステップ６４において、記録再生装置は、編集点から新たなストリームデータを磁気テープ１２に記録しながら、編集点の前に記録されているサーチデータの続きを書き込んでいく。ここで、このステップ６４の詳細について図１を用いて説明する。
【００２５】
ステップ６４の状態では、Ｉピクチャのサーチ画像がサーチ画像メモリ４に記憶され、また編集点の前のサーチＵｎｉｔＮＯは、サーチデータ処理部７に記憶されている。ＭＰＥＧストリームのデータは、ビデオ入出力部１より入力されたビデオ信号をデジタルデータに変換し、フレームメモリ２に書き込む。そしてフレームメモリ２に書き込まれた画像データはＭＰＥＧ処理部５によりエンコードされ、ＶＢＶバッファ６に蓄積される。蓄積されたＭＰＥＧストリームデータは、ストリームデータ処理部８を通してトラックメモリ９に書き込まれる。それと平行して、サーチデータ処理部７により編集点後に連続すべきサーチデータを記憶しているサーチＵｎｉｔＮＯより求め、順次、トラックメモリ９の既定のサーチデータエリアに書き込んでいく。トラックメモリ９に書き込まれたＭＰＥＧストリームデータおよびサーチデータは、ＥＣＣ  Ｕｎｉｔ単位でＥＣＣ処理部１０に読み出され、ＥＣＣ符号化された後に変調処理部１１に変調され、磁気ヘッド１３を通して磁気テープ１２に記録されていく。
【００２６】
以上ステップ６４の処理のあとに、図５のステップ６５に移行する。ステップ６５は記録の定常状態であり、ＭＰＥＧストリームデータとサーチデータをトラックメモリ９に書き込み、ＥＣＣ符号化後に磁気テープ１２に記録していく。次のステップ６６は、記録終了指示の検出であり、ユーザからの記録終了の指示がある場合はステップ６７に移行し、指示がない場合はステップ６５に移行する。ステップ６７は記録終了の処理であり、最後に記録しているＩピクチャのサーチデータの保持とその書き込んだサーチＵｎｉｔＮＯの保持を行う。そして、上記記録した終了した位置から、再度カメラ記録を繰り返す場合、メモリに記憶しているＩピクチャのサーチデータの保持とその書き込んだサーチＵｎｉｔＮＯを用いてつなぎ記録を行う。
【００２７】
以上説明したように、本実施形態における記録再生装置によれば、テープ編集などによるつなぎ記録をした場合、新たに記録したストリームの先頭のサーチエリアに、下地のストリームの最後のサーチデータを連続して記録することができる。これにより、つなぎ記録部分をサーチ再生した際に、欠落のない完全なサーチ画像を再生することができる。
【００２８】
尚、上述した実施形態において図５に示した記録再生装置の各処理部の一部は、各処理部の機能を実現する為のプログラムをメモリから読み出してＣＰＵ（中央演算装置）が実行することによりその機能を実現させるものである。
【００２９】
また、上述した構成に限定さるものではなく、図５に示した記録再生装置の各処理の全部または一部の機能を専用のハードウェアにより実現してもよい。また、ＣＰＵの利用するメモリは、例えばＨＤＤ、光磁気ディスク装置、フラッシュメモリ等の不揮発性のメモリや、ＣＤ−ＲＯＭ等の読み出しのみが可能な記録媒体、ＲＡＭ以外の揮発性のメモリ、あるいはこれらの組合せによるコンピュータ読み取り、書き込み可能な記録媒体より構成されてもよい。
【００３０】
また、図５に示した記録再生装置の処理における一部の機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。具体的には、記憶媒体から読み出されたプログラムが、コンピュータに挿入された機能拡張ボードやコンピュータに接続された機能拡張ユニットに備わるメモリに書きこまれた後、そのプログラムの指示に基づき、その機能拡張ボードや機能拡張ユニットに備わるＣＰＵなどが実際の処理の一部または全部を行い、その処理によって前述した実施形態の機能が実現される場合も含む。
【００３１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００３２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータシステムに既に記録されているプログラムとの組合せで実現できるもの、いわゆる差分ファイル（差分プログラム）であっても良い。
【００３３】
また、上記のプログラムを記録したコンピュータ読み取り可能な記録媒体等のプログラムプロダクトも本発明の実施形態として適用することができる。上記のプログラム、記録媒体、伝送媒体およびプログラムプロダクトは、本発明の範疇に含まれる。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３４】
【図１】本発明の一実施形態における記録再生装置の概略構成を示す図である。
【図２】テープ上の記録フォーマットの一例を示す図である。
【図３】テープ上においてＭＰＥＧストリームデータとサーチデータの記録位置関係を示す図である。
【図４】従来のつなぎ記録したテープの状態を示した図である。
【図５】図１に示した記録再生装置において、テープ編集などによるつなぎ記録をした場合の動作の概略を示す図である。
【符号の説明】
【００３５】
１          ビデオ入出力部
２          フレームメモリ
３          サーチ画像処理部
４          サーチ画像メモリ
５          ＭＰＥＧ処理部
６          ＶＢＶバッファ
７          サーチデータ処理部
８          ストリームデータ処理部
９          トラックメモリ
１０        ＥＣＣ処理部
１１        変調処理部
１２        磁気テープ
１３        磁気ヘッド
【図１】
2006190418.tif 000003
【図２】
2006190418.tif 000004
【図３】
2006190418.tif 000005
【図４】
2006190418.tif 000006
【図５】
2006190418.tif 000007